(57)【要約】【課題】防曇性能が保持された防曇フィルムを提供する。【解決手段】青果物包装用フィルム１０は、防曇剤を含む合成樹脂層を備え、青果物包装用フィルム１０の一方の面をＡ面とし、他方の面をＢ面としたとき、当該Ａ面に第１凸部１１、および第１凸部１１への圧力を調整する第２凸部２１を有し、青果物包装用フィルム１０が積層された際、第２凸部２１が青果物包装用フィルム１０の前記Ｂ面に当接することで、第１凸部１１へかかる積層圧が調整されるように構成されている。【選択図】図１
2019098693.tif 000002
【特許請求の範囲】
【請求項１】
防曇剤を含む合成樹脂層を備えた防曇フィルムであって、
当該防曇フィルムの一方の面をＡ面とし、他方の面をＢ面としたとき、
当該Ａ面に第１凸部、および当該第１凸部への圧力を調整する第２凸部を有し、
当該防曇フィルムが積層された際、前記第２凸部が当該防曇フィルムの前記Ｂ面に当接することで、前記第１凸部へかかる積層圧が調整されるように構成された、防曇フィルム。
【請求項２】
当該防曇フィルムが、ロール状または枚葉状に積層される、請求項１に記載の防曇フィルム。
【請求項３】
前記第１凸部と、前記第２凸部との高さが等しい、請求項１または２に記載の防曇フィルム。
【請求項４】
前記第２凸部の高さが、前記第１凸部よりも高い、請求項１または２に記載の防曇フィルム。
【請求項５】
前記第１凸部が、印刷層である、請求項１乃至４いずれか一項に記載の防曇フィルム。
【請求項６】
前記第２凸部が、メジウムコート層である、請求項１乃至５いずれか一項に記載の防曇フィルム。
【請求項７】
前記防曇剤が、非イオン界面活性剤を含む、請求項１乃至６いずれか一項に記載の防曇フィルム。
【請求項８】
前記合成樹脂層が多層構造である、請求項１乃至７いずれか一項に記載の防曇フィルム。
【請求項９】
請求項１乃至７いずれか一項に記載の防曇フィルムを備える包装容器。
【請求項１０】
前記包装容器が透明領域を有し、第１凸部が当該透明領域に配置されている、請求項９に記載の包装容器。
【請求項１１】
請求項９または１０に記載の包装容器により青果物を密封してなる、青果物入り包装体。
【発明の詳細な説明】
【技術分野】
【０００１】
本発明は、防曇フィルム、包装容器、および青果物入り包装体に関する。
【背景技術】
【０００２】
収穫された野菜類、キノコ類、果物類などの青果物は、その後、合成樹脂フィルムを用いた袋状等の容器に包装され、流通、保管され、店頭等において消費者により購入される。一方で、青果物の呼吸等により、かかる容器の内側に水滴が付着し、外観を損ねるといった問題があった。そこで、一般に、青果物などを包装するための合成樹脂フィルムには、予め防曇性が付与されている（例えば、特許文献１）。
【０００３】
しかし、合成樹脂フィルムに印刷を施した場合、合成樹脂フィルムの巻取り時に印刷部分と裏面が接触した領域において、合成樹脂フィルムの裏面の防曇剤が、印刷インキ中に移行するなどして、当該領域における防曇効果が低下するといった問題が生じていた。そこで、合成樹脂フィルムがもつ防曇性を低下させない観点から、特許文献２には、インキ組成物に着目し、特殊な微粒子を開発し、当該特殊な微粒子を含むインキ組成物により、防曇剤がインキ側へ移行することを抑制する技術が開示されている。
【先行技術文献】
【特許文献】
【０００４】
【特許文献１】特開２０１６−２１５４３９号公報
【特許文献２】特開２０１３−１２７０３８号公報
【発明の概要】
【発明が解決しようとする課題】
【０００５】
しかしながら、特許文献２に記載された技術は、特殊な微粒子を使用するものであり、かかるインキを得るために、特殊な技術や材料、設備等を要するものであった。そこで、本発明は、特殊なインキを用いることなく、合成樹脂フィルムの防曇性を低下することを抑制することを課題とする。
【課題を解決するための手段】
【０００６】
本発明者らは、上記課題を解決するため鋭意検討を行った結果、印刷面に圧力調整層を形成することで、かかる課題が解決できることを見出し、本発明を完成させた。
ここで、まず、防曇性が低下するメカニズムは、印刷後の合成樹脂フィルムを巻き取ったり、積層した際、合成樹脂フィルムの印刷部分と裏面とが接触し互いに押し合うことで、合成樹脂フィルムの防曇成分が印刷部分に移行することによって、印刷部分と接触した部分の防曇性が低下すると推測される。そこで、合成樹脂フィルムの印刷面に応力調整層を設けることで、応力調整層が合成樹脂フィルム裏面に接触することで、印刷部分と合成樹脂フィルム裏面とが接触し互いに押し合うことを制御でき、防曇剤の移行を抑制できると推測される。
【０００７】
本発明は、防曇剤を含む合成樹脂層を備えた防曇フィルムであって、
当該防曇フィルムの一方の面をＡ面とし、他方の面をＢ面としたとき、
当該Ａ面に第１凸部、および当該第１凸部への圧力を調整する第２凸部を有し、
当該防曇フィルムが積層された際、前記第２凸部が当該防曇フィルムの前記Ｂ面に当接することで、前記第１凸部へかかる積層圧が調整されるように構成された、防曇フィルムを提供する。
【０００８】
また、本発明は、上記の防曇フィルムを備える包装容器を提供する。
【０００９】
また、本発明は、上記の包装容器により青果物を密封してなる、青果物入り包装体を提供する。
【発明の効果】
【００１０】
本発明によれば、防曇性の低下が抑制された防曇フィルムが提供できる。
【図面の簡単な説明】
【００１１】
【図１】本実施形態に係る青果物包装用フィルム模式断面図である。
【図２】本実施形態に係る青果物包装用フィルムを、ＭＤ方向に巻き取った状態を示す平面図である。
【図３】本実施形態に係る青果物包装用フィルムを巻き取った状態の一部をＭＤ方向から見たときの拡大断面図である。
【図４】本実施形態に係る青果物包装袋の作成手順を示すための説明図である。
【図５】本実施形態に係る青果物包装用フィルムの変形例の模式断面図である。
【発明を実施するための形態】
【００１２】
以下、本発明の実施形態について、詳細に説明する。なお、以下の実施形態では、青果物包装用フィルム１０を例に挙げて具体的に説明するが、防曇フィルムの用途としては、これに限られない。
【００１３】
＜第１実施形態＞
〔青果物包装用フィルム〕
図１は、本実施形態に係る青果物包装用フィルム模式断面図である。青果物包装用フィルム１０の一方の面をＡ面とし、他方の面をＢ面としたとき、当該Ａ面に第１凸部１１、および第１凸部１１への圧力を調整する第２凸部２１を有し、青果物包装用フィルム１０が積層された際、第２凸部２１が青果物包装用フィルム１０のＢ面に当接することで、第１凸部１１へかかる積層圧が調整されるように構成されている。
【００１４】
図１に示すように、青果物包装用フィルム１０の一方の面をＡ面とし、他方の面をＢ面としたとき、当該Ａ面に第１凸部１１、および第１凸部１１への圧力を調整する第２凸部２１がそれぞれ配置されている。
青果物包装用フィルム１０においては、第２凸部２１の間に、第１凸部１１が設けられている。
断面視において、第１凸部１１と第２凸部２１との間は、離間していても、近接していてもよい。第１凸部１１への圧力を効果的に緩和させる観点から、第２凸部２１は、第１凸部１１の近傍に配置されていることが好ましい。
【００１５】
青果物包装用フィルム１０は、ロール状または枚葉状に積層されるものである。すなわち、青果物包装用フィルム１０がロール状または枚葉状に積層されることにより、青果物包装用フィルム１０のＡ面上に、青果物包装用フィルム１０のＢ面が配置されるようになる。これにより、第２凸部２１と青果物包装用フィルム１０との間において積層圧が生じる。
【００１６】
本実施形態において、第１凸部１１は、第２凸部２１よりも、高さが低くなっている。これにより、青果物包装用フィルム１０のＡ面上に、青果物包装用フィルム１０のＢ面が積層された時、第２凸部２１がＢ面に当接することにより、第１凸部１１にＢ面が当接したり、圧力がかかることを抑制できる。
第１凸部１１の高さは、第２凸部２１の高さに対して、０．５〜０．９５であることが好ましく、０．７〜０．９であることがより好ましい。高さの測定方法は、例えば、ＪＩＳ  Ｋ５６００−１−７に準拠して測定できる。
【００１７】
本実施形態において、第１凸部１１は、印刷層である。印刷層とは、印刷により形成された層である。印刷方法は、特に限定されず、例えば、スクリーン印刷法、グラビア印刷法、および厚膜印刷法など、公知の方法を用いることができる。
【００１８】
第１凸部１１の高さとしては、例えば、１〜６０μｍである。第１凸部１１の高さを、上記下限値以上とすることにより、青果物包装用フィルム１０への印刷性を良好にし、青果物包装用フィルム１０の意匠性を向上できる。第１凸部１１の高さを、上記上限値以下とすることにより、第１凸部１１への応力緩和をしやすくなる。
なお、第１凸部１１の高さは、第２凸部２１よりも低ければよく、バラつきがあるものであってもよい。
【００１９】
また、第１凸部１１の断面視における形状は、特に限定されず、半円状、半楕円状、三角状、略四角形状、および台形状などが挙げられる。
【００２０】
本実施形態において、第２凸部２１は、第１凸部１１への圧力を緩和するための層である。第２凸部２１としては、メジウムコート層であることが好ましい。メジウムコート層とは、メジウムを主成分とする無彩色、透明なインキを塗工して形成される樹脂層である。メジウムコート層は、単層であってもよく、多層であってもよい。これにより、第２凸部２１の高さを自在に調整できる。
【００２１】
第２凸部２１の高さとしては、例えば、１〜１００μｍである。第２凸部２１の高さを、上記下限値以上とすることにより、第１凸部１１への応力緩和をしやすくなる。一方、第２凸部２１の高さを、上記上限値以下とすることにより、青果物包装用フィルム１０の形状変形を抑制しやすくなる。第１凸部１１への応力緩和し、果物包装用フィルム１０の形状変形を抑制する観点から、第２凸部２１の高さは、ほぼ均一であることが好ましい。
【００２２】
第２凸部２１の断面視における形状は、特に限定されないが、第１凸部１１への圧力を安定的に調整する観点から、第２凸部２１は、略四角形状、台形形状など、平坦な上辺を有するであることが好ましい。
【００２３】
平面視において、第１凸部１１、および第２凸部２１の平面視における形状は、特に限定されず、連続するものであっても、非連続なものであってよい。青果物包装用フィルム１０によれば、防曇性を保持させたい領域を自由に設計できる。
また、青果物包装用フィルム１０の形状を保持しやすくする観点から、第２凸部２１が青果物包装用フィルム１０のＭＤ方向に平行に連続するものであることが好ましい。また、第２凸部２１は、青果物包装用フィルム１０のＭＤ方向における両端に形成されていることが好ましい。
【００２４】
青果物包装用フィルム１０は、内容物を外部から視認できる観点から、透明または半透明であることが好ましく、透明であることがより好ましい。
【００２５】
青果物包装用フィルム１０の平均厚みは、６μｍ以上、２００μｍ以下が好ましく、５μｍ以上、１００μｍ以下がより好ましく、１０μｍ以上、４５μｍ以下がさらに好ましい。
【００２６】
青果物包装用フィルム１０は、防曇剤を含む合成樹脂層を備える。
合成樹脂層を構成する合成樹脂は、青果物の包装に用いることができるものであることが好ましい。合成樹脂としては、例えば、各種ポリエチレンおよびエチレン共重合体、ポリプロピレン、ポリ塩化ビニル、ポリスチレン、アクリル樹脂、ポリエチレンテレフタレートやポリ乳酸などのポリエステル樹脂、６ナイロンなどのポリアミド樹脂などが挙げられる。これらはホモポリマーであってもよく、２種類以上のコポリマーであってもよく、これらホモポリマーやコポリマーを２種類以上含むブレンド物であってもよい。
また、上記各種ポリエチレンおよびエチレン共重合体の具体例としては、エチレン・ビニルアルコール共重合体、高密度ポリエチレン、中密度ポリエチレン、低密度ポリエチレン、直鎖状低密度ポリエチレン、メタロセン−直鎖状低密度ポリエチレン、エチレン−酢酸ビニルコポリマーやエチレン−アクリル酸コポリマー、エチレン−プロピレンコポリマー、エチレン−α−オレフィンコポリマーなどのコポリマーあるいはアイオノマーなどが挙げられ、これら、あるいはこれらと他の樹脂との２種類以上をブレンドしたものであってもよい。
【００２７】
また、本実施形態においては、青果物包装用フィルム１０として、上記の合成樹脂から得られるフィルムを単層フィルムとして用いてもよいし、厚み方向に２以上の層が積層された多層構造を有するフィルムであってもよい。例えば、ポリエチレンテレフタレートフィルムと、低密度ポリエチレンとを積層したものであってもよい。
【００２８】
防曇剤は、合成樹脂層に含有されている。防曇剤としては、非イオン性界面活性剤であることが好ましい。非イオン性界面活性剤は、青果物包装袋用フィルム１０の防曇性を高める機能を有する。
【００２９】
非イオン性界面活性剤としては、グリセリン脂肪酸エステル、ポリグリセリン脂肪酸エステル、ポリエチレングリコール脂肪酸エステル、ポリエチレングリコールソルビタン脂肪酸エステル、ポリオキシエチレンアルキルエーテル、ソルビタン脂肪酸エステル、アルキルジエタノールアミン、アルキルジエタノールアミド等の単独あるいは併用系が挙げられる。これらの中でも、ポリグリセリン脂肪酸エステルが好ましい。
【００３０】
ポリグリセリン脂肪酸エステルとしては、例えば、ジグリセリンモノオレート、ジグリセリンモノラウレート、ジグリセリンモノステアレート、ジグリセリンモノパルミテート、ジグリセリンモノベヘネート、ジグリセリンセスキオレート、ジグリセリンセスキラウレート、ジグリセリンセスキステアレート、ジグリセリンセスキパルミテート、ジグリセリンセスキベヘネート、ジグリセリンジオレート、ジグリセリンジラウレート、ジグリセリンジステアレート、ジグリセリンジパルミテート、ジグリセリンジベヘネート、トリグリセリンオレート、トリグリセリンラウレート、テトラグリセリンオレート、テトラグリセリンステアレート、ヘキサグリセリンラウレート、ヘキサグリセリンオレート、デガグリセリンオレート、デカグリセリンラウレート等が挙げられる。これらのうち、デカグリセリンラウレートは、防曇性が高く合成樹脂との相溶性も高いので好ましい。
【００３１】
防曇剤の含有量は、十分な防曇効果を得る観点から、合成樹脂層全体に対し、１．０質量％以上が好ましく、１．５質量％以上がより好ましく、２．０質量％以上がさらに好ましく、一方、フィルムの良好な透明性、及びべたつきを抑制する観点から、５．０質量％以下が好ましく、４．０質量％以下がより好ましく、３．５質量％以下がさらに好ましい。
【００３２】
合成樹脂層は、その他の一般的な合成樹脂フィルムに用いられる添加剤を含有してもよい。
【００３３】
合成樹脂層は、多層構造であってもよい。この場合、押出ラミネート法、ドライラミネート法、コート法、共押出法等、公知の方法を用いることができる。
【００３４】
つぎに、青果物包装用フィルム１０による効果について説明する。
図２は、本実施形態に係る青果物包装用フィルムを、ＭＤ方向に巻き取った状態を示す平面図である。図３は、本実施形態に係る青果物包装用フィルムを巻き取った状態の一部をＭＤ方向から見たときの拡大断面図であり、図２中に示されたＸ−Ｘ断面である。
【００３５】
図２，３に示されるように、青果物包装用フィルムを、ＭＤ方向に巻き取ると、青果物包装用フィルム１０のＡ面上に、青果物包装用フィルム１０のＢ面が積層されるようになる。そのため、青果物包装用フィルム１０のＡ面と、青果物包装用フィルム１０のＢ面とが接触し、互いに押し合う応力が働く。この際、第２凸部２１が青果物包装用フィルム１０のＢ面に当接することで、第１凸部１１へ応力がかかることを防止し、青果物包装用フィルム１０中の防曇剤が、Ｂ面から第１凸部１１に吸着されたり、第１凸部１１へ移行することで、防曇性が低下することを抑制できるようになる。言い換えると、青果物包装用フィルム１０のＢ面において第１凸部１１に対向する領域における防曇性が保持されるようになる。
これにより、簡便な方法で、防曇性能が保持された青果物包装用フィルム１０が得られる。
【００３６】
〔青果物包装袋〕
青果物包装袋３０は、青果物包装用フィルム１０を備える（図４（ｃ）参照）。
青果物包装袋３０は、青果物包装用フィルム１０の第１凸部１１からなる表示部１５を有している。表示部１５は、青果物包装袋３０の内容物についての説明するための文字や図形などからなるものである。表示部１５は、消費者等が店頭において青果物包装袋３０を目にしたときに、目につきやすい場所、例えば、青果物包装袋３０の表面に形成されていることが好ましい。また、青果物包装袋３０は、青果物包装袋３０の内容物が確認できるよう、透明領域１３を備えている。
青果物包装袋３０において、表示部１５は、透明領域１３に配置されている。これにより、消費者等が青果物包装袋３０の内容物について、表示部１５とともに、視認しやすくなる。一方、第２凸部２１は、青果物包装袋３０における表示部１５とは反対側の領域に配置される。
【００３７】
図４は、青果物包装袋３０の作成手順を示すための説明図である。
図４（ａ）に示すように、まず、青果物包装用フィルム１０をＭＤ方向（機械方向）に垂直な方向（ＴＤ方向）で切断する。続いて、Ｂ面が内側になるように左右両側を折り返し、後の青果物包装袋３０の背面となる部分で、青果物包装用フィルム１０同士を重ね合わせるようにして接合し、筒状になった青果物包装用フィルム１０の一方の開口部を閉じ、袋状にする（図４（ｂ）、（ｃ））。これにより、上方が開口し、青果物が収容できる、青果物包装袋３０が得られる。
【００３８】
なお、青果物包装袋３０の製造方法は、これに限られず、青果物包装用フィルム１０同士を重ね合わせ、二方シール袋、三方シール袋、四方シール袋、スタンディングパウチ等任意の形状とすることができる。
【００３９】
〔青果物入り包装体〕
本実施形態における青果物入り包装体は、青果物包装袋３０により青果物を密封してなるものである。
当該青果物としては、特に限定されないが、例えば、オオバ、ホウレンソウ、コマツナ、ミズナ、ミブナ、アスパラガス、クウシンサイ、レタス、タイム、セージ、パセリ、イタリアンパセリ、ローズマリー、オレガノ、レモンバーム、チャイブ、ラベンダー、サラダバーネット、ラムズイヤー、ロケット、ダンディライオン、ナスタチューム、バジル、ルッコラ、クレソン、モロヘイヤ、セロリ、ケール、ネギ、キャベツ、ハクサイ、シュンギク、サラダナ、サンチュ、フキ、ナバナ、チンゲンサイ、ミツバ、セリ、メキャベツ、ブロッコリー、カリフラワー、ミョウガ、ダイコン、ニンジン、ゴボウ、ラディッシュ、カブ、サツマイモ、ジャガイモ、ナガイモ、ヤマイモ、サトイモ、ジネンジョ、ヤマトイモ、ピーマン、パプリカ、シシトウ、キュウリ、ナス、トマト、ミニトマト、カボチャ、ゴーヤ、オクラ、スィートコーン、エダマメ、サヤエンドウ、サヤインゲン、ソラマメ、菌茸類などが挙げられる。また、柑橘、りんご、ナシ、ブドウ、ブルーベリー、柿、イチゴなどの果実類や切花なども有効である。また、これらをカットした状態、いわゆるカット野菜、カットフルーツにも有効である。
防曇効果を効果的に得る観点から、シイタケ、エリンギ、マツタケ、えのきだけ、マイタケ、ブナシメジ、マッシュルーム、たもぎたけ、および松茸などの菌茸類であることが好ましい。
【００４０】
青果物を密封する方法としては、青果物包装袋３０の開口部にヒートシール処理を施してもよいし、バックシーリングテープ、結束帯、輪ゴム、かしめ等の部材を用いてもよい。
【００４１】
＜第２実施形態＞
上記第１実施形態においては、第２凸部２１の高さが、第１凸部１１よりも高い例について説明したが、第２実施形態においては、第１凸部１２と第２凸部２２との高さが等しい例について説明する。なお、上記実施形態と同様の構成、効果については、適宜説明を省略する。
【００４２】
図５に示すように、青果物包装用フィルム２０のＡ面には、第１凸部１２と、第２凸部２２とが備えられ、第１凸部１２と第２凸部２１との高さが等しくなっている。
本実施形態の青果物包装用フィルム２０においても、青果物包装用フィルム２０のＡ面とＢ面とが接触し互いに押し合う応力が働いた際、第２凸部２２が、第１凸部１２青果物包装用フィルム２０のＢ面に当接することで、第１凸部１２へかかる応力を低減できる。その結果、青果物包装用フィルム２０中の防曇剤が、第１凸部１２に吸着されたり、移行することを抑制でき、防曇性が低下することを抑制できる。
また、本実施形態の青果物包装用フィルム２０によれば、第１凸部１２と第２凸部２２との高さが等しいため、青果物包装用フィルム２０を巻き取ったり、積層した際に、青果物包装用フィルム２０が自重により撓んだりゆがんだりすることを抑制しやすくなる。
【００４３】
以上、図面を参照して本発明の実施形態について述べたが、これらは本発明の例示であり、上記以外の様々な構成を採用することもできる。
【００４４】
上記実施形態では、防曇フィルムとして、青果物包装用フィルム１０について青果物の例を挙げ説明したが、防曇フィルムの用途としては、水分を含有・付着するものを包装するも場合であってもよい。すなわち、青果物のように自身の呼吸に伴って水分を放出するものに限られない。
青果物以外の水分を含有する物としては、肉、魚、洋菓子、及びパン等の加工食品、干し柿等乾燥させたが完全には水分がなくなっていないもの、包装容器に入れた際に内容物が含有する水分によって結露が発生するものでもよい。また、食品以外のものであってもよく、木材、衣類、医薬品、工業用材料であってもよい。
また、水分を付着するものとしては、冷凍、冷蔵で冷やされているために表面に結露が発生したもの、洗浄や包装前の結露により表面が濡れた状態のものでもよい。
【００４５】
また、上記実施形態では、包装容器として、青果物包装袋３０である例について説明したが、包装容器としては、袋状に限られず、トレーやカップなどの蓋付き容器などであってもよい。
【００４６】
以上、本発明の実施形態について述べたが、これらは本発明の例示であり、上記以外の様々な構成を採用することもできる。
【符号の説明】
【００４７】
１０    青果物包装用フィルム
１１    第１凸部
１２    第１凸部
１３    透明領域
１５    表示部
２０    青果物包装用フィルム
２１    第２凸部
２２    第２凸部
３０    青果物包装袋
【図１】
2019098693.tif 000003
【図２】
2019098693.tif 000004
【図３】
2019098693.tif 000005
【図４】
2019098693.tif 000006
【図５】
2019098693.tif 000007